(57)【要約】【課題】合成画像または合成前の個別画像に画像処理を施すこと。【解決手段】パソコン１００は、複数の個別画像を合成して合成画像を生成する合成画像生成手段と、画像処理の種類の選択を受け付ける受付手段と、受付手段で受け付けた画像処理の種類に応じて、画像処理を合成画像に施すべきか、合成前の個別画像に施すべきかを判定する判定手段と、判定手段による判定結果に応じた処理を実行する実行手段とを備える。【選択図】図１
2013182333.tif 000002
【特許請求の範囲】
【請求項１】
複数の個別画像を合成して合成画像を生成する合成画像生成手段と、
画像処理の種類の選択を受け付ける受付手段と、
前記受付手段で受け付けた前記画像処理の種類に応じて、画像処理を前記合成画像に施すべきか、合成前の前記個別画像に施すべきかを判定する判定手段と、
前記判定手段による判定結果に応じた処理を実行する実行手段とを備えることを特徴とする画像処理装置。
【請求項２】
請求項１に記載の画像処理装置において、
前記実行手段によって実行される、前記判定手段による前記判定結果に応じた処理は、前記合成画像または前記個別画像を表示装置に表示する表示処理、または前記判定手段による判定結果に基づいて前記合成画像または前記個別画像に施す、前記受付手段で受け付けた種類の画像処理であることを特徴とする画像処理装置。
【請求項３】
請求項２に記載の画像処理装置において、
前記表示処理は、選択された個別画像を切り換えて表示する切替表示処理、または前記合成画像内で選択された個別画像を選択状態にする選択状態表示処理であることを特徴とする画像処理装置。
【請求項４】
請求項２または３に記載の画像処理装置において、
前記個別画像に対して施した画像処理の内容を、該個別画像を合成して得た前記合成画像に反映させる反映手段をさらに備えることを特徴とする画像処理装置。
【請求項５】
請求項２または３に記載の画像処理装置において、
前記合成画像に対して施した画像処理の内容を、該合成画像の生成元となった前記個別画像に反映させる反映手段をさらに備えることを特徴とする画像処理装置。
【請求項６】
請求項２〜５のいずれか一項に記載の画像処理装置において、
複数の個別画像と、それらを合成して得た前記合成画像とを１つの画像ファイルに記録する画像ファイル生成手段と、
前記画像ファイル生成手段によって生成された画像ファイル内に、各個別画像のヘッダ情報として前記個別画像に施した画像処理の種類を特定するための情報を記録し、前記合成画像のヘッダ情報として前記合成画像に施した画像処理の種類を特定するための情報を記録する画像処理情報記録手段とをさらに備えることを特徴とする画像処理装置。
【請求項７】
請求項２〜６のいずれか一項に記載の画像処理装置において、
前記個別画像に施した画像処理の履歴と、前記合成画像に施した画像処理の履歴とを記録する履歴記録手段をさらに備えることを特徴とする画像処理装置。
【請求項８】
請求項７に記載の画像処理装置において、
使用者からの指示に基づいて、前記個別画像に施した画像処理の履歴または前記合成画像に施した画像処理の履歴を表示する履歴表示手段をさらに備えることを特徴とする画像処理装置。
【請求項９】
請求項７または８に記載の画像処理装置において、
前記個別画像に施した画像処理の履歴または前記合成画像に施した画像処理の履歴に基づいて、過去に実行した画像処理をキャンセルする画像処理キャンセル手段をさらに備えることを特徴とする画像処理装置。
【請求項１０】
複数の個別画像を合成して合成画像を生成する合成画像生成手順と、
画像処理の種類の選択を受け付ける受付手順と、
前記受付手順で受け付けた前記画像処理の種類に応じて、画像処理を前記合成画像に施すべきか、合成前の前記個別画像に施すべきかを判定する判定手順と、
前記判定手順での判定結果に応じた処理を実行する実行手順とをコンピュータに実行させるための画像処理プログラム。
【発明の詳細な説明】
【技術分野】
【０００１】
本発明は、画像処理装置、および画像処理プログラムに関する。
【背景技術】
【０００２】
次のような画像編集アプリケーションが知られている。この画像編集アプリケーションでは、複数の画像を合成して得た合成画像に画像処理を施すことができる（例えば、非特許文献１）。
【先行技術文献】
【非特許文献】
【０００３】
【非特許文献１】Ａｄｏｂｅ  Ｓｙｓｔｅｍｓ  Ｉｎｃｏｒｐｏｒａｔｅｄ  「Ａｄｏｂｅ  Ｐｈｏｔｏｓｈｏｐ  ＣＳ３  ユーザガイド」  ２２５ページ〜２２９ページ
【発明の概要】
【発明が解決しようとする課題】
【０００４】
しかしながら、従来の画像編集アプリケーションでは、合成画像の作成元となった合成前の複数の個別画像のそれぞれに対して画像処理を施すことはできなかった。
【課題を解決するための手段】
【０００５】
本発明による画像処理装置は、複数の個別画像を合成して合成画像を生成する合成画像生成手段と、画像処理の種類の選択を受け付ける受付手段と、受付手段で受け付けた画像処理の種類に応じて、画像処理を合成画像に施すべきか、合成前の個別画像に施すべきかを判定する判定手段と、判定手段による判定結果に応じた処理を実行する実行手段とを備えることを特徴とする。
本発明による画像処理プログラムは、複数の個別画像を合成して合成画像を生成する合成画像生成手順と、画像処理の種類の選択を受け付ける受付手順と、受付手順で受け付けた画像処理の種類に応じて、画像処理を合成画像に施すべきか、合成前の個別画像に施すべきかを判定する判定手順と、判定手順での判定結果に応じた処理を実行する実行手順とをコンピュータに実行させることを特徴とする。
【発明の効果】
【０００６】
本発明によれば、合成画像の作成元となった合成前の複数の個別画像のそれぞれに対して画像処理を施すことができる。
【図面の簡単な説明】
【０００７】
【図１】パソコンの一実施の形態の構成を示すブロック図である。
【図２】画像編集画面の具体例を示す第１の図である。
【図３】画像編集処理の流れを示すフローチャート図である。
【図４】画像編集画面の具体例を示す第２の図である。
【発明を実施するための形態】
【０００８】
図１は、本実施の形態における画像処理装置の一実施の形態の構成を示すブロック図である。画像処理装置としては、例えば、パーソナルコンピュータ（パソコン）１００が用いられ、このパソコン１００は、操作部材１０１と、接続ＩＦ（インターフェース）１０２と、制御装置１０３と、ＨＤＤ（ハードディスクドライブ）１０４と、モニタ１０５とを備えている。
【０００９】
操作部材１０１は、使用者によって操作される種々の装置、例えばキーボードやマウスを含む。接続ＩＦ１０２は、パソコン１００と外部機器とを接続するためのインターフェースである。本実施の形態では、パソコン１００は、この接続ＩＦ１０２を介してデジタルカメラと接続され、デジタルカメラからは撮影によって得られた画像ファイルが取り込まれる。なお、接続ＩＦ１０２としては、パソコン１００とデジタルカメラとを有線接続するためのＵＳＢインターフェースや、無線接続するための無線ＬＡＮモジュールなどが用いられる。
【００１０】
制御装置１０３は、ＣＰＵ、メモリ、およびその他の周辺回路によって構成され、パソコン１００の全体を制御する。なお、制御装置１０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリを含む。
【００１１】
ＨＤＤ１０４は、接続ＩＦ１０２を介して取り込まれた画像ファイルのデータや、制御装置１０３で実行される種々のプログラムのデータ等を記録するための記録装置である。なお、ＨＤＤ１０４に記録されるプログラムのデータは、ＣＤ−ＲＯＭやＤＶＤ−ＲＯＭなどの記憶媒体に記録されて提供され、使用者が当該記憶媒体を用いてプログラムのデータをＨＤＤ１０４にインストールすることによって、制御装置１０３がプログラムを実行できるようになる。モニタ１０５は、例えば液晶モニタであって、制御装置１０３から出力される種々の表示用データが表示される。
【００１２】
本実施の形態におけるパソコン１００では、使用者は、画像処理アプリケーションを実行してＨＤＤ１０４に記録されている画像ファイルの画像を表示し、表示中の画像を編集することができる。本実施の形態では、ＨＤＤ１０４には、一般的な画像ファイル、例えば１つの画像ファイル内に１つのＪＰＥＧデータを含むＪＰＥＧファイルとともに、パノラマ撮影により撮影された複数の画像データ（ＪＰＥＧデータ）を１つの画像ファイル内に格納したＭＰファイルが記録されているものとする。このＭＰファイル内に記録されている複数の画像データは、被写界を複数の領域に分けて撮影された複数の画像データであって、これらの画像データを所定の順番に並べて合成することにより、１枚のパノラマ画像を生成することができる。なお、ＭＰファイルは、公知のマルチピクチャフォーマットにより規格化された画像ファイルであるため、説明を省略する。
【００１３】
本実施の形態では、制御装置１０３は、使用者によって操作部材１０１が操作されて画像編集アプリケーションの実行が指示されると、ＨＤＤ１０４に記録されているプログラムを実行して、画像編集アプリケーションを起動させる。これにより、モニタ１０５には、画像編集画面が表示される。そして、制御装置１０３は、図２（ａ）に示すように、画像編集画面内にＨＤＤ１０４内に記録されている画像ファイルの画像を一覧表示する。このとき、制御装置１０３は、パノラマ画像を構成する複数の画像データが記録されたＭＰファイルについては、複数の画像データを合成してパノラマ画像を生成してから表示する。これによって、図２（ａ）に示すように、画像編集画面には、ＭＰファイルに基づくパノラマ画像２ａが表示される。
【００１４】
使用者は、画像編集画面に一覧表示された画像の中から、編集したい画像を選択することができる。制御装置１０３は、使用者によって編集対象の画像が選択されると、図２（ｂ）に示すように、編集対象の画像を画像編集画面に全画面表示する。図２（ｂ）は、パノラマ画像２ａが編集対象として選択されて全画面表示された例を示している。使用者は、このパノラマ画像２ａを対象として、画像処理の実行を指示することができる。本実施の形態では、例えば、パノラマ画像２ａを対象として、階調補正、コントラスト補正、ホワイトバランス補正、収差補正、露出補正等の画像処理の実行を指示することができる。
【００１５】
これらの画像処理には、パノラマ画像２ａに対して施すことが好ましい処理と、パノラマ画像２ａを構成する個別の画像、すなわちＭＰファイル内に格納されている複数の画像のそれぞれに対して施すことが好ましい処理とが含まれる。例えば、ホワイトバランス補正、収差補正、露出補正等の画像処理は、パノラマ画像２ａを構成する個別の画像（以下、「個別画像」と呼ぶ）に対して施すことが好ましい。一方で、階調補正、コントラスト補正等の画像処理は、パノラマ画像２ａに対して施すことが好ましい。
【００１６】
よって、本実施の形態では、制御装置１０３は、使用者によって指示された画像処理の種類が、パノラマ画像２ａを構成する個別画像に対して施すことが好ましいものであると判定した場合には、画像編集画面にパノラマ画像２ａを構成する個別画像をそれぞれ表示する。例えば、制御装置１０３は、図２（ｃ）に示すように、画像編集画面を上下２段に分割し、下段にパノラマ画像２ａを構成する個別画像２ｂから２ｆを一覧表示する。また、上段には、下段に表示された個別画像２ｂから２ｆの中から使用者によって選択された個別画像を切り替えて表示する。図２（ｃ）では、使用者によって下段で個別画像２ｂが選択されたことにより、上段に個別画像２ｂが表示されている例を示している。
【００１７】
使用者は、図２（ｃ）に示す画像編集画面の上段に表示された個別画像２ｂに対して、画像編集パラメータを調整して編集を行うことができる。制御装置１０３は、使用者による画像編集パラメータの調整結果に基づいて、個別画像２ｂに対して画像処理を実行する。これにより、使用者は、画像編集画面の下段で画像処理を施したい個別画像を切り替えながら、各個別画像に対して、編集パラメータを調整しつつ画像処理を施すことができる。
【００１８】
また、制御装置１０３は、図２（ｃ）に示す画像編集画面が表示されているときに、使用者によって、上述したパノラマ画像２ａに対して施すことが好ましい画像処理の実行が指示された場合には、画像編集画面を図２（ｂ）に示す画面に戻して、パノラマ画像２ａに対する画像処理の実行を受け付ける。この場合も、使用者は、図２（ｂ）に示す画像編集画面に表示されたパノラマ画像２ａに対して、画像編集パラメータを調整して編集を行うことができる。制御装置１０３は、使用者による画像編集パラメータの調整結果に基づいて、パノラマ画像２ａに対して画像処理を実行する。
【００１９】
なお、制御装置１０３は、パノラマ画像２ａに対して画像処理を実行した場合には、その画像処理の内容を各個別画像２ｂ〜２ｆにそれぞれ反映させる。また、制御装置１０３は、個別画像２ｂ〜２ｆに対して画像処理を実行した場合には、その画像処理の内容をパノラマ画像２ａに反映させる。
【００２０】
本実施の形態では、制御装置１０３は、パノラマ画像２ａや個別画像２ｂ〜２ｆに対して行われた画像処理の履歴（以下「編集履歴」と呼ぶ）をＨＤＤ１０４に記録する。このとき、制御装置１０３は、パノラマ画像２ａの編集履歴と、個別画像２ｂ〜２ｆの編集履歴とを別々に管理、記録する。そして、制御装置１０３は、使用者によって図２（ｂ）に示す画像編集画面上でパノラマ画像２ａが選択された場合や、図２（ｃ）に示す画像編集画面上で個別画像２ｂ〜２ｆのいずれかが選択された場合には、選択された画像の編集履歴を表示する。
【００２１】
例えば、制御装置１０３は、使用者によって図２（ｂ）に示す画像編集画面上でパノラマ画像２ａが選択された場合には、ＨＤＤ１０４に記録されているパノラマ画像２ａの編集履歴を読み出して、その内容を画像編集画面内に表示する。または、使用者によって図２（ｂ）に示す画像編集画面上で個別画像２ｂが選択された場合には、ＨＤＤ１０４に記録されている個別画像２ｂの編集履歴を読み出して、その内容を画像編集画面内に表示する。
【００２２】
使用者は、表示された編集履歴の中から、いずれかの編集内容を選択して、その画像処理をキャンセルすることができる。例えば、パノラマ画像２ａに対して、３回の画像処理が行われていた場合に、使用者は、過去３回の画像処理のいずれかを選択して、その画像処理のキャンセルを指示することができる。制御装置１０３は、使用者によって、編集履歴から画像処理のキャンセルが指示された場合には、パノラマ画像２ａに対して選択された画像処理をキャンセルするための処理を施す。この場合、制御装置１０３は、使用者によって選択された画像処理をキャンセルする。
【００２３】
また、本実施の形態では、使用者は、パノラマ画像２ａと個別画像２ｂ〜２ｆとの中から、複数の画像を同時に選択し、選択した画像に対して共通の画像処理を施すように指示することも可能である。例えば、制御装置１０３は、使用者がパノラマ画像２ａと個別画像２ｂ〜２ｆとの中から編集対象として複数の画像を選択した場合には、それらの画像のうち、少なくとも１つの画像に適用可能な画像処理を使用者が選択できるようにする。使用者は、選択可能な画像処理の中から、編集対象の画像に適用したい画像処理を選択することができる。
【００２４】
制御装置１０３は、使用者によって編集対象の画像に適用する画像処理が選択された場合には、選択された画像処理を適用可能な画像に対して、該選択された画像処理を実行する。例えば、パノラマ画像２ａと個別画像２ｂおよび２ｃとが編集対象として選択されている場合に、適用する画像処理としてホワイトバランス補正が選択された場合には、上述したようにホワイトバランス補正は個別画像に対して施すべき処理であるため、制御装置１０３は、編集対象のうち個別画像２ｂおよび２ｃにホワイトバランス補正を施す。なお、この場合も制御装置１０３は、画像処理を実行した画像の編集履歴に編集内容を記録する。
【００２５】
また、本実施の形態では、使用者は、ある個別画像の編集履歴を表示した状態で、履歴に含まれる画像処理のいずれかを選択して、選択した画像処理と同じ処理を他の個別画像にも適用するように指示することができる。例えば、使用者は、編集履歴の中から他の個別画像にも適用したい画像処理をマウスを使用して選択し、それを他の個別画像にコピーアンドペーストすることによって、他の個別画像に同じ画像処理を適用するように指示することができる。あるいは、使用者は、ある個別画像の編集履歴から選択した画像処理をパノラマ画像２ａにコピーアンドペーストすることにより、パノラマ画像２ａを構成する他の全ての個別画像に同じ画像処理を適用するように指示することもできる。なお、この場合も制御装置１０３は、画像処理を実行した画像の編集履歴に編集内容を記録する。
【００２６】
制御装置１０３は、上述したように画像処理を施した後のパノラマ画像２ａや個別画像２ｂ〜２ｃをＨＤＤ１０４に記録する。この場合、制御装置１０３は、編集後の画像で元の画像を上書きして記録してもよいし、元の画像は残したまま編集後の画像を別ファイルとして記録してもよい。また、本実施の形態では、制御装置１０３は、画像処理の種類を特定するための情報として、画像編集パラメータを編集後の画像に対応付けて記録する。例えば、パノラマ画像２ａに対して適用した画像処理の画像編集パラメータは、ＭＰファイル内の全画像に共通するヘッダ領域や代表画像のヘッダ領域に記録する。また、個別画像２ｂ〜２ｆに対して適用した画像処理の画像編集パラメータは、ＭＰファイル内の各個別画像のヘッダ領域に記録する。
【００２７】
図３は、本実施の形態における画像処理の流れを示すフローチャートである。図３に示す処理は、画像処理アプリケーションの実行中に、使用者によって編集したい画像が選択されると起動するプログラムとして、制御装置１０３によって実行される。
【００２８】
ステップＳ１０において、制御装置１０３は、使用者によって選択された画像を画像編集画面に全画面表示して、ステップＳ２０へ進む。ステップＳ２０では、制御装置１０３は、使用者によって画像に施すべき画像処理が選択されたか否かを判断する。ステップＳ２０で肯定判断した場合には、ステップＳ３０へ進む。
【００２９】
ステップＳ３０では、制御装置１０３は、使用者によって選択された画像処理がパノラマ画像に施すことが好ましい処理であるか否かを判断する。ステップＳ３０で肯定判断した場合には、ステップＳ４０へ進む。ステップＳ４０では、制御装置１０３は、上述したように、図２（ｂ）に示す画像編集画面を表示して、パノラマ画像２ａに対する画像処理を受け付ける。
【００３０】
その後、ステップＳ５０へ進み、制御装置１０３は、使用者によってパノラマ画像２ａに対して施す画像処理の画像編集パラメータが調整されて、画像処理の実行が指示されたか否かを判断する。ステップＳ５０で肯定判断した場合には、ステップＳ６０へ進み、制御装置１０３は、パノラマ画像２ａに対して、使用者による画像編集パラメータの調整結果に基づく画像処理を実行して、後述するステップＳ１００へ進む。
【００３１】
一方、ステップＳ３０で否定判断した場合には、ステップＳ７０へ進む。ステップＳ７０では、制御装置１０３は、ステップＳ７０では、制御装置１０３は、上述したように、図２（ｃ）に示す画像編集画面を表示して、個別画像２ｂ〜２ｆのいずれかに対する画像処理を受け付ける。
【００３２】
その後、ステップＳ８０へ進み、制御装置１０３は、使用者によって個別画像に対して施す画像処理の画像編集パラメータが調整されて、画像処理の実行が指示されたか否かを判断する。ステップＳ８０で肯定判断した場合には、ステップＳ９０へ進み、制御装置１０３は、選択された個別画像に対して、使用者による画像編集パラメータの調整結果に基づく画像処理を実行して、ステップＳ１００へ進む。
【００３３】
ステップＳ１００では、制御装置１０３は、上述した処理で画像に対して施した画像処理の履歴をＨＤＤ１０４に記録して、ステップＳ１１０へ進む。ステップＳ１１０では、制御装置１０３は、上述したように、編集後の画像をＨＤＤ１０４に記録する。このとき、制御装置１０３は、編集内容を示す画像編集パラメータを編集後の画像に対応付けて記録する。
【００３４】
以上説明した本実施の形態によれば、以下のような作用効果を得ることができる。
（１）制御装置１０３は、使用者によって選択された画像処理の種類に応じて、図２（ｂ）に示した画像編集画面と、図２（ｃ）に示した画像編集画面とを切り替えて表示するようにした。すなわち、画像処理の種類がパノラマ画像２ａに対して施すことが好ましい処理である場合には、図２（ｂ）に示した画像編集画面を表示してパノラマ画像を表示し、画像処理の種類がパノラマ画像２ａを構成する個別画像に対して施すことが好ましい処理である場合には、図２（ｃ）に示した画像編集画面を表示して個別画像２ｂ〜２ｆを表示するようにした。これによって、使用者によって選択された画像処理の種類に応じて、適切な画像を表示することができる。
【００３５】
（２）制御装置１０３は、使用者によって選択された画像処理の種類がパノラマ画像２ａを構成する個別画像に対して施すことが好ましい処理である場合には、図２（ｃ）に示した画像編集画面を表示して下段に個別画像２ｂ〜２ｆを表示し、下段で選択された個別画像を上段に切り替えて表示するようにした。これによって、使用者は、画像処理を施す個別画像を容易に選択することができる。
【００３６】
（３）制御装置１０３は、パノラマ画像２ａに対して画像処理を実行した場合には、その画像処理の内容を各個別画像２ｂ〜２ｆにそれぞれ反映させるようにし、個別画像２ｂ〜２ｆに対して画像処理を実行した場合には、その画像処理の内容をパノラマ画像２ａに反映させるようにした。これによって、パノラマ画像と個別画像との間で、画像処理の実行結果を互いに反映させることができる。
【００３７】
（４）制御装置１０３は、画像処理の種類を特定するための情報として、画像編集パラメータを編集後の画像に対応付けて記録するようにした。これによって、後の処理で画像編集パラメータを利用することが可能となる。
【００３８】
（５）制御装置１０３は、パノラマ画像２ａや個別画像２ｂ〜２ｆに対して行われた画像処理の履歴をＨＤＤ１０４に記録するようにし、使用者からの指示に基づいて、各画像の編集履歴を表示するようにした。これによって、使用者は、各画像ごとに過去の画像処理の実行履歴を確認することができる。
【００３９】
（６）制御装置１０３は、使用者からの指示に応じて、編集履歴に基づいて過去の画像処理をキャンセルするようにした。これによって、使用者は、一度行った画像処理をキャンセルして元の画像に戻すことができる。
【００４０】
―変形例―
なお、上述した実施の形態の画像処理装置は、以下のように変形することもできる。
（１）上述した実施の形態では、使用者は、編集履歴の中から、いずれかの編集内容を選択して、その画像処理をキャンセルすることができるようにし、このとき、制御装置１０３は、使用者によって選択された画像処理をキャンセルする例について説明した。しかしながら、制御装置１０３は、使用者によって編集履歴から画像処理のキャンセルが指示された場合には、選択された画像処理以降に施された全ての画像処理をキャンセルするようにしてもよい。また、この場合には、制御装置１０３は、選択されている画像、すなわち編集履歴が表示された画像についてのみ、選択された画像処理以降に施された全ての画像処理をキャンセルしてもよいし、全画像を対象として、選択された画像処理以降に施された全ての画像処理をキャンセルしてもよい。なお、選択された画像処理以降に施された全ての画像処理をキャンセルする場合には、各画像ごとに、画像処理の実行順を示す情報を記録しておき、実行順が、選択された画像処理の実行順以降の画像処理を対象としてキャンセルを行えばよい。また、全画像を対象として、選択された画像処理以降に施された全ての画像処理をキャンセルする場合には、上記各画像ごとの画像処理の実行順とは別に、全画像についての画像処理の実行順を示す情報を記録しておき、全画像についての実行順が、選択された画像処理の実行順以降の画像処理を対象としてキャンセルを行えばよい。
【００４１】
（２）上述した実施の形態では、制御装置１０３は、パノラマ画像２ａの編集履歴と、個別画像２ｂ〜２ｆの編集履歴とを別々に管理、記録する例について説明した。しかしながら、制御装置１０３は、パノラマ画像２ａの編集履歴と、個別画像２ｂ〜２ｆの編集履歴とを一元管理するようにしてもよい。
【００４２】
（３）上述した実施の形態では、制御装置１０３は、使用者がパノラマ画像２ａと個別画像２ｂ〜２ｆとの中から編集対象として複数の画像を選択した場合には、それらの画像のうち、少なくとも１つの画像に適用可能な画像処理を使用者が選択できるようにする例について説明した。しかしながら、制御装置１０３は、使用者がパノラマ画像２ａと個別画像２ｂ〜２ｆとの中から編集対象として複数の画像を選択した場合には、使用者が選択した全ての画像に共通して適用可能な画像処理のみを選択できるようにしてもよい。
【００４３】
（４）上述した実施の形態では、制御装置１０３は、使用者によって選択された画像処理の種類がパノラマ画像２ａを構成する個別画像に対して施すことが好ましい処理である場合には、図２（ｃ）に示した画像編集画面を表示して下段に個別画像２ｂ〜２ｆを表示し、下段で選択された個別画像を上段に切り替えて表示する例について説明した。しかしながら、制御装置１０４は、図４に示すように、使用者によって選択された個別画像をパノラマ画像２ａ内で選択状態にするようにしてもよい。なお、図４では、パノラマ画像２ａ内で使用者によって個別画像２ｆが選択されたことにより、個別画像２ｆが選択状態となって拡大表示されている例を示している。
【００４４】
（５）上述した実施の形態では、制御装置１０３は、使用者によって選択された画像処理の種類がパノラマ画像２ａに対して施すことが好ましい処理である場合には、図２（ｂ）に示した画像編集画面を表示してパノラマ画像を表示し、使用者によって選択された画像処理の種類がパノラマ画像２ａを構成する個別画像に対して施すことが好ましい処理である場合には、図２（ｃ）に示した画像編集画面を表示して個別画像２ｂ〜２ｆを表示する例について説明した。しかしながら、制御装置１０３は、使用者によって選択された画像処理の種類がパノラマ画像２ａに対して施すことが好ましい処理である場合には、パノラマ画像２ａに対して使用者が選択した種類の画像処理を施し、使用者によって選択された画像処理の種類が個別画像２ｂ〜２ｆに対して施すことが好ましい処理である場合には、個別画像２ｂ〜２ｆに対して使用者が選択した種類の画像処理を施すようにしてもよい。
【００４５】
（６）上述した実施の形態では、ＭＰファイルには、パノラマ撮影によって撮影された複数の画像データが含まれており、制御装置１０３は、これらの複数の画像データを合成して生成したパノラマ画像を画像編集画面に表示する例について説明した。しかしながら、ＭＰファイルに含まれる画像データは、合成によって１つの画像を生成するための複数の画像データであれば、パノラマ撮影によって撮影された複数の画像データに限定されない。例えば、立体視撮影によって撮影された複数の画像データがＭＰファイルに含まれる場合にも本発明は適用可能である。
【００４６】
（７）上述した実施の形態では、画像処理装置としては、例えばパソコン１００を用いる例について説明した。しかしながら、これに限定されず、画像処理装置として、画像を記録することができる他の機器、例えばデジタルカメラや画像ストレージ装置などを用いるようにしてもよい。
【００４７】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００４８】
１００  パソコン、１０１  操作部材、１０２  接続ＩＦ、１０３  制御装置、１０４  ＨＤＤ、１０５  モニタ
【図１】
2013182333.tif 000003
【図２】
2013182333.tif 000004
【図３】
2013182333.tif 000005
【図４】
2013182333.tif 000006